(57)【要約】【課題】本発明は医療検査設備を開示した。【解決手段】装置主体を含み、前記装置主体に放射線装置が設置され、前記装置主体に当て板装置が設置され、前記放射線装置が前記の装置主体に設置される作業筐体を含み、前記作業筐体の上側内壁に第一伝動筐体が設置され、前記第一伝動筐体の右側内壁に第一電機が固定設置され、前記第一電機の左端にもう一端が軸受けの回転を通じて前記第一伝動筐体の左側内壁に係合接続される第一回転軸が動力で係合接続され、前記第一回転軸に第一駆動歯車が固定接続され、前記第一伝動筐体の下側内壁の左端に上向きの第二伝動筐体が設置され、本装置は自動的に多くの体部位を検査することができ、医療従事者の運営時間を減少し、常に放射ルームでコントロールする必要がなく、被検査従事者が迅速且つ高効率的に装置内で検査を行い、外部の影響を減少することができる。【選択図】図1
2019204759.tif 000002
【特許請求の範囲】
【請求項１】
装置主体を含み、前記装置主体に放射線装置が設置され、前記装置主体に当て板装置が設置され、前記放射線装置が前記の装置主体に設置される作業筐体を含み、前記作業筐体の上側内壁に第一伝動筐体が設置され、前記第一伝動筐体の右側内壁に第一電機が固定設置され、前記第一電機の左端にもう一端が軸受けの回転を通じて前記第一伝動筐体の左側内壁に係合接続される第一回転軸が動力で係合接続され、前記第一回転軸に第一駆動歯車が固定接続され、前記第一伝動筐体の下側内壁の左端に上向きの第二伝動筐体が設置され、前記第二伝動筐体の中に一端が前記第一伝動筐体に入り込み、且つ前記第一駆動歯車に噛み合い係合接続される第一被駆動歯車が設置され、前記第一非駆動歯車の軸に第二回転軸が固定接続され、前記第二回転軸の右端が軸受けを通じて前記第二伝動筐体の右側内壁に回り係合接続され、前期作業筐体の上側内壁の左端に下向きの第一溝が設置され、前記第一溝の下側内壁に第三伝動筐体が連結設置され、前記第二回転軸の右端が前記第三伝動筐体に入り込み、且つ右端が軸受を通じて前記第三伝動筐体の左側内壁に回り係合接続され、前記第三伝動筐体中の前記第二回転軸に前記第三伝動筐体に左右移動できる移動ブロックが左右対称でねじで係合接続され、前記移動ブロックの下端にコネクティングロッドが設置され、前記コネクティングロッドの下端が前記第一溝に入り込み、且つ作業ブロックに回り係合接続され、前記作業ブロックの中に第四伝動筐体が設置され、前記第四伝動筐体の中に回転台が設置され、前記回転台の軸に駆動軸が設置され、前記駆動軸の後端に第四伝動筐体の後端内壁の中の電機に動力で固定設置され、前記回転台の前端面に固定ブロックが偏心に固定接続され、前記回転台の前端に押し棒が設置され、前記押し棒の中に前後貫くスライドホールが設置され、前記固定ブロックの前端が前記スライドホールに入り込み、且つ前記スライドホールの内壁に滑り係合接続され、前記第四駆動筐体の下側内壁にガイド溝が連結設置され、前記押し棒の下端に前記ガイド溝に左右滑動できるガイドブロックが固定接続され、前記第四伝動筐体の上側内壁に右向きの作業ホールが連結設置され、前記押し棒の上端が前記作業ホールに入り込み、且つ前記作業ホールに左右滑動できる作業棒が固定接続され、前記作業棒の右端が前記作業ホールを抜け出し、且つ放射装置が固定接続され、前記放射装置が前記作業ホールの左側内壁に設置される第一転輪筐体を含み、前記第一転輪筐体の中に転輪が上下対称で設置され、前記第一転輪筐体の右側内壁と前期作業ホールの左側内壁の間に第一リード線ホールが連結装置され、前記第一転輪筐体の右側内壁の上端に前記作業ブロックを貫く第二リード線ホールが設置され、前記作業棒の左端にリード線が前後対称で固定接続され、前記リード線が前記第一リード線ホールを通し、且つ前記転輪を巻きついて前記第二リード線ホールを通し、前記作業棒の右端に放射ブロックが固定接続され、前記放射ブロックの前後端に支柱が対称で回り係合接続され、前記放射ブロックの左端が内向きで且つ第二転輪筐体が前後対称で設置され、前記第二転輪筐体の中に第二転輪が設置され、前記放射ブロックに転輪装置が前後端対称で固定設置され、前記第二転輪筐体の左側内壁に第三リード線ホールが貫いて設置され、前記第二転輪筐体が前記転輪装置に近接する側に第四リード線ホールが貫いて設置され、前記第二リード線ホールを抜け出す前記リード線が前記第三リード線ホールに入り込み、第二転輪を巻きついて且つ前記第四リード線ホールに入り込み、前記転輪装置を巻きついて且つ前記転輪装置から離れる前記支柱の上端面に固定接続され、前記放射ブロックの前後端の右側に近接する位置に外向きの第二溝が対称設置され、前記第二溝の中に回転軸を通じてばねブロックが係合接続され、前記ばねブロックの外端面にもう一端が前記支柱の下端に固定接続されるばねが固定接続され、前記支柱の右端に検査線放射ブロックが固定接続され、前記当て板装置が前記第一回転軸に固定接続される第一駆動斜歯歯車を含み、前記第一伝動筐体の右側内壁に左向きの第三溝が設置され、前記第三溝の中に左端が第一伝動筐体に入り込み且つ前記第一駆動斜歯歯車に噛み合い係合接続される第一被駆動斜歯歯車が設置され、前記第一被駆動斜歯歯車の軸に第三回転軸が固定接続され、前記第三回転軸の上下端が軸受けを通じて前記第三溝の上下側内壁に回り係合接続され、前記作業筐体の右側の右側内壁に左向きの第四溝が設置され、前記第三回転軸の下端が前記第四溝に入り込み且つ軸受けを通じて前記第四溝の下側内壁に回り係合接続され、前記第四溝の前記第三回転軸に前記第四溝に上下滑動できる昇降ブロックがねじで係合接続され、前記昇降ブロックの右端に当て板ブロックが固定接続される、前記作業筐体の上側内壁且つ前記当て板ブロックの左側に誘導装置が固定接続され、前記誘導装置は従事者が着席したかどうかを誘導して検査することができ、前記作業筐体の下側内壁に前記作業ブロックに行揃える緩衝ブロックが固定接続され、前記緩衝ブロックが作業ブロックの下げによる衝撃を軽減でき、前記第三伝動筐体の上側内壁の中に情報処理筐体が設置され、前記情報処理筐体が情報検査して外部空間に発信できる。
【発明の詳細な説明】
【技術分野】
【０００１】
本発明は医療検査分野に関し、具体的には、医療検査設備に関する。
【背景技術】
【０００２】
現在、国内では、医療水準が高くなり、健康に気を付け、病院に行って身体検査を受ける人が益々増え、身体検査或いは体を検査するには、レントゲン設備が必要され、医療従事者が如何に大量の被検査者を対応して且つ自動的に被検査者を検査して、医療従事者の運営時間を減少し、常に放射ルームでコントロールする必要がなく、外部の影響を減少するため、安全で、高効率的且つ自動化的な医療検査設備を設計するのが確実に必要である。
【先行技術文献】
【特許文献】
【０００３】
【特許文献１】中国特許出願公開第104266996号明細書
【発明の概要】
【発明が解決しようとする課題】
【０００４】
本発明の目的は上記の背景技術に提出された問題を解決するための医療検査設備を提供することにある。
【課題を解決するための手段】
【０００５】
上記の目的を実現するために、本発明には、装置主体を含み、前記装置主体に放射線装置が設置され、前記装置主体に当て板装置が設置され、前記放射線装置が前記の装置主体に設置される作業筐体を含み、前記作業筐体の上側内壁に第一伝動筐体が設置され、前記第一伝動筐体の右側内壁に第一電機が固定設置され、前記第一電機の左端にもう一端が軸受けの回転を通じて前記第一伝動筐体の左側内壁に係合接続される第一回転軸が動力で係合接続され、前記第一回転軸に第一駆動歯車が固定接続され、前記第一伝動筐体の下側内壁の左端に上向きの第二伝動筐体が設置され、前記第二伝動筐体の中に一端が前記第一伝動筐体に入り込み、且つ前記第一駆動歯車に噛み合い係合接続される第一被駆動歯車が設置され、前記第一非駆動歯車の軸に第二回転軸が固定接続され、前記第二回転軸の右端が軸受けを通じて前記第二伝動筐体の右側内壁に回り係合接続され、前期作業筐体の上側内壁の左端に下向きの第一溝が設置され、前記第一溝の下側内壁に第三伝動筐体が連結設置され、前記第二回転軸の右端が前記第三伝動筐体に入り込み、且つ右端が軸受を通じて前記第三伝動筐体の左側内壁に回り係合接続され、前記第三伝動筐体中の前記第二回転軸に前記第三伝動筐体に左右移動できる移動ブロックが左右対称でねじで係合接続され、前記移動ブロックの下端にコネクティングロッドが設置され、前記コネクティングロッドの下端が前記第一溝に入り込み、且つ作業ブロックに回り係合接続され、前記作業ブロックの中に第四伝動筐体が設置され、前記第四伝動筐体の中に回転台が設置され、前記回転台の軸に駆動軸が設置され、前記駆動軸の後端に第四伝動筐体の後端内壁の中の電機に動力で固定設置され、前記回転台の前端面に固定ブロックが偏心に固定接続され、前記回転台の前端に押し棒が設置され、前記押し棒の中に前後貫くスライドホールが設置され、前記固定ブロックの前端が前記スライドホールに入り込み、且つ前記スライドホールの内壁に滑り係合接続され、前記第四駆動筐体の下側内壁にガイド溝が連結設置され、前記押し棒の下端に前記ガイド溝に左右滑動できるガイドブロックが固定接続され、前記第四伝動筐体の上側内壁に右向きの作業ホールが連結設置され、前記押し棒の上端が前記作業ホールに入り込み、且つ前記作業ホールに左右滑動できる作業棒が固定接続され、前記作業棒の右端が前記作業ホールを抜け出し、且つ放射装置が固定接続される。
【０００６】
好ましくは、前記放射装置が前記作業ホールの左側内壁に設置される第一転輪筐体を含み、前記第一転輪筐体の中に転輪が上下対称で設置され、前記第一転輪筐体の右側内壁と前期作業ホールの左側内壁の間に第一リード線ホールが連結装置され、前記第一転輪筐体の右側内壁の上端に前記作業ブロックを貫く第二リード線ホールが設置され、前記作業棒の左端にリード線が前後対称で固定接続され、前記リード線が前記第一リード線ホールを通し、且つ前記転輪を巻きついて前記第二リード線ホールを通し、前記作業棒の右端に放射ブロックが固定接続され、前記放射ブロックの前後端に支柱が対称で回り係合接続され、前記放射ブロックの左端が内向きで且つ第二転輪筐体が前後対称で設置され、前記第二転輪筐体の中に第二転輪が設置され、前記放射ブロックに転輪装置が前後端対称で固定設置され、前記第二転輪筐体の左側内壁に第三リード線ホールが貫いて設置され、前記第二転輪筐体が前記転輪装置に近接する側に第四リード線ホールが貫いて設置され、前記第二リード線ホールを抜け出す前記リード線が前記第三リード線ホールに入り込み、第二転輪を巻きついて且つ前記第四リード線ホールに入り込み、前記転輪装置を巻きついて且つ前記転輪装置から離れる前記支柱の上端面に固定接続され、前記放射ブロックの前後端の右側に近接する位置に外向きの第二溝が対称設置され、前記第二溝の中に回転軸を通じてばねブロックが係合接続され、前記ばねブロックの外端面にもう一端が前記支柱の下端に固定接続されるばねが固定接続され、前記支柱の右端に検査線放射ブロックが固定接続される。
【０００７】
好ましくは、前記当て板装置が前記第一回転軸に固定接続される第一駆動斜歯歯車を含み、前記第一伝動筐体の右側内壁に左向きの第三溝が設置され、前記第三溝の中に左端が第一伝動筐体に入り込み且つ前記第一駆動斜歯歯車に噛み合い係合接続される第一被駆動斜歯歯車が設置され、前記第一被駆動斜歯歯車の軸に第三回転軸が固定接続され、前記第三回転軸の上下端が軸受けを通じて前記第三溝の上下側内壁に回り係合接続され、前記作業筐体の右側の右側内壁に左向きの第四溝が設置され、前記第三回転軸の下端が前記第四溝に入り込み且つ軸受けを通じて前記第四溝の下側内壁に回り係合接続され、前記第四溝の前記第三回転軸に前記第四溝に上下滑動できる昇降ブロックがねじで係合接続され、前記昇降ブロックの右端に当て板ブロックが固定接続される。
【０００８】
好ましくは、前記作業筐体の上側内壁且つ前記当て板ブロックの左側に誘導装置が固定接続され、前記誘導装置は従事者が着席したかどうかを誘導して検査することができる。
【０００９】
好ましくは、前記作業筐体の下側内壁に前記作業ブロックに行揃える緩衝ブロックが固定接続され、前記緩衝ブロックが作業ブロックの下げによる衝撃を軽減できる。
【００１０】
好ましくは、前記第三伝動筐体の上側内壁の中に情報処理筐体が設置され、前記情報処理筐体が情報検査して外部空間に発信できる。
【発明の効果】
【００１１】
本発明の有益効果は、本発明の構造が簡単で、操作も便利である。本装置は医療検査を行う時、被検査従事者が作業筐体に入って立ち、誘導装置が従事者が第一電機を起動することを感応して第一回転軸を動かして回し、それによって、第一駆動斜歯歯車が第一被駆動斜歯歯車を動かして回し、昇降ブロックが下げられ、当て板ブロックを動かして従事者が検査しようとする位置に合わせると同時に、第一駆動歯車が回して第一被駆動歯車を動かして回し、第二回転軸をまわらせて移動ブロックをお互いに近づくこと動かして、それによって、コネクティングロッドを通じて、作業ブロックを動かして作業筐体に下げて当て板ブロックに位置合わせてから、駆動軸を起動して回転台を動かして回し、固定ブロックを駆動軸に巻きつかれ且つスライドホールに滑り、押し棒を動かして作業棒を作業ホールに右に移動させ、放射ブロックを従事者に近づかさせると同時に、作業ホールが右に移動してリード線を動かして引いて、それによって、支柱を反転させ、検査線放射ブロックを起動し、従事者に向かって放射検査を行い、完成した時、駆動軸が回して固定ブロックを動かして元の位置に戻させ、それによって、作業棒が元の位置に戻して、ばねを跳ね返させ、支柱を元の位置に戻させ、第一電機を起動し、装置が初期状態に戻してから、情報処理筐体で情報を発信して、次の従事者の検査を待ち、本装置は自動的に多くの体部位を検査することができ、医療従事者の運営時間を減少し、常に放射ルームでコントロールする必要がなく、被検査従事者が迅速且つ高効率的に装置内で検査を行い、外部の影響を減少することができる。
【図面の簡単な説明】
【００１２】
【図１】本発明の医療検査設備の内部構造模式図である。
【図２】図1の中の「A-A」の俯瞰図である。
【図３】図3は図1の中の「B」の拡大模式図である。
【発明を実施するための形態】
【００１３】
以下、本発明の実施例における図面に合わせて、本発明の実施例における技術方案を明らかに且つ完全に説明し、勿論、説明された実施例はただ本発明の一部の実施例に過ぎなく、全ての実施例ではない。本発明における実施例に基づいて、本分野の通常の技術者が創造的な労働をしなかった前提で得られた全ての他の実施例は、いずれも本発明の保護範囲に属する。
【００１４】
図1と図3が示すように、本発明の医療検査設備は、装置主体10を含み、前記装置主体10に放射線装置が設置され、前記装置主体10に当て板装置が設置され、前記放射線装置が前記の装置主体10に設置される作業筐体11を含み、前記作業筐体11の上側内壁に第一伝動筐体12が設置され、前記第一伝動筐体12の右側内壁に第一電機13が固定設置され、前記第一電機13の左端にもう一端が軸受けの回転を通じて前記第一伝動筐体12の左側内壁に係合接続される第一回転軸14が動力で係合接続され、前記第一回転軸14に第一駆動歯車15が固定接続され、前記第一伝動筐体12の下側内壁の左端に上向きの第二伝動筐体16が設置され、前記第二伝動筐体16の中に一端が前記第一伝動筐体12に入り込み、且つ前記第一駆動歯車15に噛み合い係合接続される第一被駆動歯車17が設置され、前記第一非駆動歯車17の軸に第二回転軸18が固定接続され、前記第二回転軸18の右端が軸受けを通じて前記第二伝動筐体16の右側内壁に回り係合接続され、前期作業筐体11の上側内壁の左端に下向きの第一溝19が設置され、前記第一溝19の下側内壁に第三伝動筐体20が連結設置され、前記第二回転軸18の右端が前記第三伝動筐体20に入り込み、且つ右端が軸受を通じて前記第三伝動筐体20の左側内壁に回り係合接続され、前記第三伝動筐体20中の前記第二回転軸18に前記第三伝動筐体20に左右移動できる移動ブロック21が左右対称でねじで係合接続され、前記移動ブロック21の下端にコネクティングロッド22が設置され、前記コネクティングロッド22の下端が前記第一溝19に入り込み、且つ作業ブロック23に回り係合接続され、前記作業ブロック23の中に第四伝動筐体24が設置され、前記第四伝動筐体24の中に回転台25が設置され、前記回転台25の軸に駆動軸26が設置され、前記駆動軸26の後端に第四伝動筐体24の後端内壁の中の電機に動力で固定設置され、前記回転台25の前端面に固定ブロック27が偏心に固定接続され、前記回転台25の前端に押し棒28が設置され、前記押し棒28の中に前後貫くスライドホール29が設置され、前記固定ブロック27の前端が前記スライドホール29に入り込み、且つ前記スライドホール29の内壁に滑り係合接続され、前記第四駆動筐体24の下側内壁にガイド溝30が連結設置され、前記押し棒28の下端に前記ガイド溝30に左右滑動できるガイドブロック31が固定接続され、前記第四伝動筐体24の上側内壁に右向きの作業ホール32が連結設置され、前記押し棒28の上端が前記作業ホール32に入り込み、且つ前記作業ホール32に左右滑動できる作業棒33が固定接続され、前記作業棒33の右端が前記作業ホール32を抜け出し、且つ放射装置が固定接続される。
【００１５】
有益的には、前記放射装置が前記作業ホール32の左側内壁に設置される第一転輪筐体34を含み、前記第一転輪筐体34の中に転輪35が上下対称で設置され、前記第一転輪筐体34の右側内壁と前期作業ホール32の左側内壁の間に第一リード線ホール36が連結装置され、前記第一転輪筐体34の右側内壁の上端に前記作業ブロック23を貫く第二リード線ホール37が設置され、前記作業棒33の左端にリード線38が前後対称で固定接続され、前記リード線38が前記第一リード線ホール36を通し、且つ前記転輪35を巻きついて前記第二リード線ホール37を通し、前記作業棒33の右端に放射ブロック39が固定接続され、前記放射ブロック39の前後端に支柱40が対称で回り係合接続され、前記放射ブロック39の左端が内向きで且つ第二転輪筐体41が前後対称で設置され、前記第二転輪筐体41の中に第二転輪45が設置され、前記放射ブロック39に転輪装置42が前後端対称で固定設置され、前記第二転輪筐体41の左側内壁に第三リード線ホール43が貫いて設置され、前記第二転輪筐体41が前記転輪装置42に近接する側に第四リード線ホール44が貫いて設置され、前記第二リード線ホール37を抜け出す前記リード線38が前記第三リード線ホール43に入り込み、第二転輪45を巻きついて且つ前記第四リード線ホール44に入り込み、前記転輪装置42を巻きついて且つ前記転輪装置42から離れる前記支柱40の上端面に固定接続され、前記放射ブロック39の前後端の右側に近接する位置に外向きの第二溝46が対称設置され、前記第二溝46の中に回転軸を通じてばねブロック47が係合接続され、前記ばねブロック47の外端面にもう一端が前記支柱40の下端に固定接続されるばね48が固定接続され、前記支柱40の右端に検査線放射ブロック49が固定接続される。
【００１６】
前記当て板装置が前記第一回転軸14に固定接続される第一駆動斜歯歯車50を含み、前記第一伝動筐体12の右側内壁に左向きの第三溝51が設置され、前記第三溝51の中に左端が第一伝動筐体12に入り込み且つ前記第一駆動斜歯歯車50に噛み合い係合接続される第一被駆動斜歯歯車52が設置され、前記第一被駆動斜歯歯車52の軸に第三回転軸53が固定接続され、前記第三回転軸53の上下端が軸受けを通じて前記第三溝51の上下側内壁に回り係合接続され、前記作業筐体11の右側の右側内壁に左向きの第四溝54が設置され、前記第三回転軸53の下端が前記第四溝54に入り込み且つ軸受けを通じて前記第四溝54の下側内壁に回り係合接続され、前記第四溝54の前記第三回転軸53に前記第四溝54に上下滑動できる昇降ブロック55がねじで係合接続され、前記昇降ブロック55の右端に当て板ブロック56が固定接続される。
【００１７】
前記作業筐体11の上側内壁且つ前記当て板ブロック56の左側に誘導装置57が固定接続され、前記誘導装置57は従事者が着席したかどうかを誘導して検査することができる。
【００１８】
前記作業筐体11の下側内壁に前記作業ブロック23に行揃える緩衝ブロック58が固定接続され、前記緩衝ブロック58が作業ブロック23の下げによる衝撃を軽減できる。
【００１９】
前記第三伝動筐体20の上側内壁の中に情報処理筐体59が設置され、前記情報処理筐体59が情報検査して外部空間に発信できる。
【００２０】
初期状態で、当て板ブロック56が最大限で作業筐体11の最高位に置かれ、移動ブロック21がお互いに離れ且つ最も遠い位置に置かれ、作業ブロック23が最大限で作業筐体11の最高位に置かれ、固定ブロック27が右端に置かれ、作業棒33が最大限で作業ホール32に引っ込め、支柱40の回転角度が最も小さくて且つ検査線放射ブロック49がお互いに近接して置かれる。
【００２１】
本装置は医療検査を行う時、被検査従事者が作業筐体11に入って立ち、誘導装置57が従事者が第一電機13を起動することを感応して第一回転軸14を動かして回し、それによって、第一駆動斜歯歯車50が第一被駆動斜歯歯車52を動かして回し、昇降ブロック55が下げられ、当て板ブロック56を動かして従事者が検査しようとする位置に合わせると同時に、第一駆動歯車15が回して第一被駆動歯車17を動かして回し、第二回転軸18をまわらせて移動ブロック21をお互いに近づくこと動かして、それによって、コネクティングロッド22を通じて、作業ブロック23を動かして作業筐体11に下げて当て板ブロック56に位置合わせてから、駆動軸26を起動して回転台25を動かして回し、固定ブロック27を駆動軸26に巻きつかれ且つスライドホール29に滑り、押し棒28を動かして作業棒33を作業ホール32に右に移動させ、放射ブロック39を従事者に近づかさせると同時に、作業ホール32が右に移動してリード線38を動かして引いて、それによって、支柱40を反転させ、検査線放射ブロック49を起動し、従事者に向かって放射検査を行い、完成した時、駆動軸26が回して固定ブロック27を動かして元の位置に戻させ、それによって、作業棒33が元の位置に戻して、ばね48を跳ね返させ、支柱40を元の位置に戻させ、第一電機13を起動し、装置が初期状態に戻してから、情報処理筐体59で情報を発信して、次の従事者の検査を待つ。
【００２２】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。
【図１】
2019204759.tif 000003
【図２】
2019204759.tif 000004
【図３】
2019204759.tif 000005
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
医療検査設備であって、装置主体を含み、前記装置主体に放射線装置が設置され、前記装置主体に当て板装置が設置され、前記放射線装置が前記の装置主体に設置される作業筐体を含み、前記作業筐体の上側内壁に第一伝動筐体が設置され、前記第一伝動筐体の右側内壁に第一電機が固定設置され、前記第一電機の左端にもう一端が軸受けの回転を通じて前記第一伝動筐体の左側内壁に係合接続される第一回転軸が動力で係合接続され、前記第一回転軸に第一駆動歯車が固定接続され、前記第一伝動筐体の下側内壁の左端に上向きの第二伝動筐体が設置され、前記第二伝動筐体の中に一端が前記第一伝動筐体に入り込み、且つ前記第一駆動歯車に噛み合い係合接続される第一被駆動歯車が設置され、前記第一非駆動歯車の軸に第二回転軸が固定接続され、前記第二回転軸の右端が軸受けを通じて前記第二伝動筐体の右側内壁に回り係合接続され、前記作業筐体の上側内壁の左端に下向きの第一溝が設置され、前記第一溝の下側内壁に第三伝動筐体が連結設置され、前記第二回転軸の右端が前記第三伝動筐体に入り込み、且つ左端が軸受を通じて前記第三伝動筐体の左側内壁に回り係合接続され、前記第三伝動筐体中の前記第二回転軸に前記第三伝動筐体に左右移動できる移動ブロックが左右対称でねじで係合接続され、前記移動ブロックの下端にコネクティングロッドが設置され、前記コネクティングロッドの下端には前記第一溝の中で回転できる作業ブロックが固定的に連結され、前記作業ブロックの中に第四伝動筐体が設置され、前記第四伝動筐体の中に回転台が設置され、前記回転台の軸に駆動軸が設置され、前記駆動軸の後端に第四伝動筐体の後端内壁の中の電機に動力で固定設置され、前記回転台の前端面に固定ブロックが偏心に固定接続され、前記回転台の前端に押し棒が設置され、前記押し棒の中に前後貫くスライドホールが設置され、前記固定ブロックの前端が前記スライドホールに入り込み、且つ前記スライドホールの内壁に滑り係合接続され、前記第四駆動筐体の下側内壁にガイド溝が連結設置され、前記押し棒の下端に前記ガイド溝に左右滑動できるガイドブロックが固定接続され、前記第四伝動筐体の上側内壁に右向きの作業ホールが連結設置され、前記押し棒の上端が前記作業ホールに入り込み、且つ前記作業ホールに左右滑動できる作業棒が固定接続され、前記作業棒の右端が前記作業ホールを抜け出し、且つ放射線装置が固定接続され、前記放射線装置が前記作業ホールの左側内壁に設置される第一転輪筐体を含み、前記第一転輪筐体の中に転輪が上下対称で設置され、前記第一転輪筐体の右側内壁と前記作業ホールの左側内壁の間に第一リード線ホールが連結設置され、前記第一転輪筐体の右側内壁の上端に前記作業ブロックを貫く第二リード線ホールが設置され、前記作業棒の左端にリード線が前後対称で固定接続され、前記リード線が前記第一リード線ホールを通り、且つ前記転輪に巻きついて前記第二リード線ホールを通り、前記作業棒の右端に放射ブロックが固定接続され、前記放射ブロックの前後端に支柱が対称で回り係合接続され、前記放射ブロックの左端面には前後に一つずつ配置された第二転輪筐体が設置され、前記第二転輪筐体の中に第二転輪が設置され、前記放射ブロックの前後端に一つずつ転輪装置が固定設置され、前記第二転輪筐体の左側内壁に第三リード線ホールが貫いて設置され、前記第二転輪筐体が前記転輪装置に近接する側に第四リード線ホールが貫いて設置され、前記第二リード線ホールを抜け出す前記リード線が前記第三リード線ホールに入り込み、第二転輪に巻きついて且つ前記第四リード線ホールに入り込み、前記転輪装置に巻きついて且つ前記転輪装置から離れる前記支柱の上端面に固定接続され、前記放射ブロックの前後端の右側に近接する位置に外向きの第二溝が対称設置され、前記第二溝の中に回転軸を通じてばねブロックが係合接続され、前記ばねブロックの外端面にもう一端が前記支柱の下端に固定接続されるばねが固定接続され、前記支柱の右端に放射線を放射できる検査線放射ブロックが固定接続され、前記当て板装置が前記第一回転軸に固定接続される第一駆動斜歯歯車を含み、前記第一伝動筐体の右側内壁に左向きの第三溝が設置され、前記第三溝の中に左端が第一伝動筐体に入り込み且つ前記第一駆動斜歯歯車に噛み合い係合接続される第一被駆動斜歯歯車が設置され、前記第一被駆動斜歯歯車の軸に第三回転軸が固定接続され、前記第三回転軸の上下端が軸受けを通じて前記第三溝の上下側内壁に回り係合接続され、前記作業筐体の右側の右側内壁に左向きの第四溝が設置され、前記第三回転軸の下端が前記第四溝に入り込み且つ軸受けを通じて前記第四溝の下側内壁に回り係合接続され、前記第四溝の前記第三回転軸に前記第四溝に上下滑動できる昇降ブロックがねじで係合接続され、前記昇降ブロックの左端に当て板ブロックが固定接続され、前記作業筐体の上側内壁且つ前記当て板ブロックの左側に誘導装置が固定接続され、前記誘導装置は従事者が着席したかどうかを誘導して検査することができ、前記作業筐体の下側内壁に緩衝ブロックが固定接続され、前記緩衝ブロックが作業ブロックの下げによる衝撃を軽減でき、前記第三伝動筐体の上側内壁の中に情報処理筐体が設置され、前記情報処理筐体が情報検査して外部空間に発信できることを特徴とする医療検査設備。
【手続補正２】
【補正対象書類名】明細書
【補正対象項目名】全文
【補正方法】変更
【補正の内容】
【発明の詳細な説明】
【技術分野】
【０００１】
本発明は医療検査分野に関し、具体的には、医療検査設備に関する。
【背景技術】
【０００２】
現在、国内では、医療水準が高くなり、健康に気を付け、病院に行って身体検査を受ける人が益々増え、身体検査或いは体を検査するには、レントゲン設備が必要され、医療従事者が如何に大量の被検査者を対応して且つ自動的に被検査者を検査して、医療従事者の運営時間を減少し、常に放射ルームでコントロールする必要がなく、外部の影響を減少するため、安全で、高効率的且つ自動化的な医療検査設備を設計するのが確実に必要である。
【先行技術文献】
【特許文献】
【０００３】
【特許文献１】中国特許出願公開第104266996号明細書
【発明の概要】
【発明が解決しようとする課題】
【０００４】
本発明の目的は上記の背景技術に提出された問題を解決するための医療検査設備を提供することにある。
【課題を解決するための手段】
【０００５】
上記の目的を実現するために、本発明には、装置主体を含み、前記装置主体に放射線装置が設置され、前記装置主体に当て板装置が設置され、前記放射線装置が前記の装置主体に設置される作業筐体を含み、前記作業筐体の上側内壁に第一伝動筐体が設置され、前記第一伝動筐体の右側内壁に第一電機が固定設置され、前記第一電機の左端にもう一端が軸受けの回転を通じて前記第一伝動筐体の左側内壁に係合接続される第一回転軸が動力で係合接続され、前記第一回転軸に第一駆動歯車が固定接続され、前記第一伝動筐体の下側内壁の左端に上向きの第二伝動筐体が設置され、前記第二伝動筐体の中に一端が前記第一伝動筐体に入り込み、且つ前記第一駆動歯車に噛み合い係合接続される第一被駆動歯車が設置され、前記第一非駆動歯車の軸に第二回転軸が固定接続され、前記第二回転軸の右端が軸受けを通じて前記第二伝動筐体の右側内壁に回り係合接続され、前記作業筐体の上側内壁の左端に下向きの第一溝が設置され、前記第一溝の下側内壁に第三伝動筐体が連結設置され、前記第二回転軸の右端が前記第三伝動筐体に入り込み、且つ左端が軸受を通じて前記第三伝動筐体の左側内壁に回り係合接続され、前記第三伝動筐体中の前記第二回転軸に前記第三伝動筐体に左右移動できる移動ブロックが左右対称でねじで係合接続され、前記移動ブロックの下端にコネクティングロッドが設置され、前記コネクティングロッドの下端には前記第一溝の中で回転できる作業ブロックが固定的に連結され、前記作業ブロックの中に第四伝動筐体が設置され、前記第四伝動筐体の中に回転台が設置され、前記回転台の軸に駆動軸が設置され、前記駆動軸の後端に第四伝動筐体の後端内壁の中の電機に動力で固定設置され、前記回転台の前端面に固定ブロックが偏心に固定接続され、前記回転台の前端に押し棒が設置され、前記押し棒の中に前後貫くスライドホールが設置され、前記固定ブロックの前端が前記スライドホールに入り込み、且つ前記スライドホールの内壁に滑り係合接続され、前記第四駆動筐体の下側内壁にガイド溝が連結設置され、前記押し棒の下端に前記ガイド溝に左右滑動できるガイドブロックが固定接続され、前記第四伝動筐体の上側内壁に右向きの作業ホールが連結設置され、前記押し棒の上端が前記作業ホールに入り込み、且つ前記作業ホールに左右滑動できる作業棒が固定接続され、前記作業棒の右端が前記作業ホールを抜け出し、且つ放射線装置が固定接続される。
【０００６】
好ましくは、前記放射線装置が前記作業ホールの左側内壁に設置される第一転輪筐体を含み、前記第一転輪筐体の中に転輪が上下対称で設置され、前記第一転輪筐体の右側内壁と前記作業ホールの左側内壁の間に第一リード線ホールが連結設置され、前記第一転輪筐体の右側内壁の上端に前記作業ブロックを貫く第二リード線ホールが設置され、前記作業棒の左端にリード線が前後対称で固定接続され、前記リード線が前記第一リード線ホールを通り、且つ前記転輪に巻きついて前記第二リード線ホールを通り、前記作業棒の右端に放射ブロックが固定接続され、前記放射ブロックの前後端に支柱が対称で回り係合接続され、前記放射ブロックの左端面には前後に一つずつ配置された第二転輪筐体が設置され、前記第二転輪筐体の中に第二転輪が設置され、前記放射ブロックの前後端に一つずつ転輪装置が固定設置され、前記第二転輪筐体の左側内壁に第三リード線ホールが貫いて設置され、前記第二転輪筐体が前記転輪装置に近接する側に第四リード線ホールが貫いて設置され、前記第二リード線ホールを抜け出す前記リード線が前記第三リード線ホールに入り込み、第二転輪に巻きついて且つ前記第四リード線ホールに入り込み、前記転輪装置に巻きついて且つ前記転輪装置から離れる前記支柱の上端面に固定接続され、前記放射ブロックの前後端の右側に近接する位置に外向きの第二溝が対称設置され、前記第二溝の中に回転軸を通じてばねブロックが係合接続され、前記ばねブロックの外端面にもう一端が前記支柱の下端に固定接続されるばねが固定接続され、前記支柱の右端に放射線を放射できる検査線放射ブロックが固定接続される。
【０００７】
好ましくは、前記当て板装置が前記第一回転軸に固定接続される第一駆動斜歯歯車を含み、前記第一伝動筐体の右側内壁に左向きの第三溝が設置され、前記第三溝の中に左端が第一伝動筐体に入り込み且つ前記第一駆動斜歯歯車に噛み合い係合接続される第一被駆動斜歯歯車が設置され、前記第一被駆動斜歯歯車の軸に第三回転軸が固定接続され、前記第三回転軸の上下端が軸受けを通じて前記第三溝の上下側内壁に回り係合接続され、前記作業筐体の右側の右側内壁に左向きの第四溝が設置され、前記第三回転軸の下端が前記第四溝に入り込み且つ軸受けを通じて前記第四溝の下側内壁に回り係合接続され、前記第四溝の前記第三回転軸に前記第四溝に上下滑動できる昇降ブロックがねじで係合接続され、前記昇降ブロックの左端に当て板ブロックが固定接続される。
【０００８】
好ましくは、前記作業筐体の上側内壁且つ前記当て板ブロックの左側に誘導装置が固定接続され、前記誘導装置は従事者が着席したかどうかを誘導して検査することができる。
【０００９】
好ましくは、前記作業筐体の下側内壁に緩衝ブロックが固定接続され、前記緩衝ブロックが作業ブロックの下げによる衝撃を軽減できる。
【００１０】
好ましくは、前記第三伝動筐体の上側内壁の中に情報処理筐体が設置され、前記情報処理筐体が情報検査して外部空間に発信できる。
【発明の効果】
【００１１】
本発明の有益効果は、本発明の構造が簡単で、操作も便利である。本装置は医療検査を行う時、被検査従事者が作業筐体に入って立ち、誘導装置が従事者が第一電機を起動することを感応して第一回転軸を動かして回し、それによって、第一駆動斜歯歯車が第一被駆動斜歯歯車を動かして回し、昇降ブロックが下げられ、当て板ブロックを動かして従事者が検査しようとする位置に合わせると同時に、第一駆動歯車が回して第一被駆動歯車を動かして回し、第二回転軸をまわらせて移動ブロックをお互いに近づくこと動かして、それによって、コネクティングロッドを通じて、作業ブロックを動かして作業筐体に下げて当て板ブロックに位置合わせてから、駆動軸を起動して回転台を動かして回し、固定ブロックを駆動軸に巻きつかれ且つスライドホールに滑り、押し棒を動かして作業棒を作業ホールに右に移動させ、放射ブロックを従事者に近づかさせると同時に、作業ホールが右に移動してリード線を動かして引いて、それによって、支柱を反転させ、検査線放射ブロックを従事者に向かって放射検査を行い、完成した時、駆動軸が回して固定ブロックを動かして元の位置に戻させ、それによって、作業棒が元の位置に戻して、ばねを跳ね返させ、支柱を元の位置に戻させ、第一電機を起動し、装置が初期状態に戻してから、情報処理筐体で情報を発信して、次の従事者の検査を待ち、本装置は自動的に多くの体部位を検査することができ、医療従事者の運営時間を減少し、常に放射ルームでコントロールする必要がなく、被検査従事者が迅速且つ高効率的に装置内で検査を行い、外部の影響を減少することができる。
【図面の簡単な説明】
【００１２】
【図１】本発明の医療検査設備の内部構造模式図である。
【図２】図1の中の「A-A」の俯瞰図である。
【図３】図3は図1の中の「B」の拡大模式図である。
【発明を実施するための形態】
【００１３】
以下、本発明の実施例における図面に合わせて、本発明の実施例における技術方案を明らかに且つ完全に説明し、勿論、説明された実施例はただ本発明の一部の実施例に過ぎなく、全ての実施例ではない。本発明における実施例に基づいて、本分野の通常の技術者が創造的な労働をしなかった前提で得られた全ての他の実施例は、いずれも本発明の保護範囲に属する。
【００１４】
図1と図3が示すように、本発明の医療検査設備は、装置主体10を含み、前記装置主体10に放射線装置が設置され、前記装置主体10に当て板装置が設置され、前記放射線装置が前記の装置主体10に設置される作業筐体11を含み、前記作業筐体11の上側内壁に第一伝動筐体12が設置され、前記第一伝動筐体12の右側内壁に第一電機13が固定設置され、前記第一電機13の左端にもう一端が軸受けの回転を通じて前記第一伝動筐体12の左側内壁に係合接続される第一回転軸14が動力で係合接続され、前記第一回転軸14に第一駆動歯車15が固定接続され、前記第一伝動筐体12の下側内壁の左端に上向きの第二伝動筐体16が設置され、前記第二伝動筐体16の中に一端が前記第一伝動筐体12に入り込み、且つ前記第一駆動歯車15に噛み合い係合接続される第一被駆動歯車17が設置され、前記第一非駆動歯車17の軸に第二回転軸18が固定接続され、前記第二回転軸18の右端が軸受けを通じて前記第二伝動筐体16の右側内壁に回り係合接続され、前記作業筐体11の上側内壁の左端に下向きの第一溝19が設置され、前記第一溝19の下側内壁に第三伝動筐体20が連結設置され、前記第二回転軸18の右端が前記第三伝動筐体20に入り込み、且つ左端が軸受を通じて前記第三伝動筐体20の左側内壁に回り係合接続され、前記第三伝動筐体20中の前記第二回転軸18に前記第三伝動筐体20に左右移動できる移動ブロック21が左右対称でねじで係合接続され、前記移動ブロック21の下端にコネクティングロッド22が設置され、前記コネクティングロッド22の下端には前記第一溝19の中で回転できる作業ブロック23が固定的に連結され、前記作業ブロック23の中に第四伝動筐体24が設置され、前記第四伝動筐体24の中に回転台25が設置され、前記回転台25の軸に駆動軸26が設置され、前記駆動軸26の後端に第四伝動筐体24の後端内壁の中の電機に動力で固定設置され、前記回転台25の前端面に固定ブロック27が偏心に固定接続され、前記回転台25の前端に押し棒28が設置され、前記押し棒28の中に前後貫くスライドホール29が設置され、前記固定ブロック27の前端が前記スライドホール29に入り込み、且つ前記スライドホール29の内壁に滑り係合接続され、前記第四駆動筐体24の下側内壁にガイド溝30が連結設置され、前記押し棒28の下端に前記ガイド溝30に左右滑動できるガイドブロック31が固定接続され、前記第四伝動筐体24の上側内壁に右向きの作業ホール32が連結設置され、前記押し棒28の上端が前記作業ホール32に入り込み、且つ前記作業ホール32に左右滑動できる作業棒33が固定接続され、前記作業棒33の右端が前記作業ホール32を抜け出し、且つ放射線装置が固定接続される。
【００１５】
有益的には、前記放射線装置が前記作業ホール32の左側内壁に設置される第一転輪筐体34を含み、前記第一転輪筐体34の中に転輪35が上下対称で設置され、前記第一転輪筐体34の右側内壁と前記作業ホール32の左側内壁の間に第一リード線ホール36が連結設置され、前記第一転輪筐体34の右側内壁の上端に前記作業ブロック23を貫く第二リード線ホール37が設置され、前記作業棒33の左端にリード線38が前後対称で固定接続され、前記リード線38が前記第一リード線ホール36を通り、且つ前記転輪35に巻きついて前記第二リード線ホール37を通り、前記作業棒33の右端に放射ブロック39が固定接続され、前記放射ブロック39の前後端に支柱40が対称で回り係合接続され、前記放射ブロック39の左端面には前後に一つずつ配置された第二転輪筐体41が設置され、前記第二転輪筐体41の中に第二転輪45が設置され、前記放射ブロック39の前後端に一つずつ転輪装置42が固定設置され、前記第二転輪筐体41の左側内壁に第三リード線ホール43が貫いて設置され、前記第二転輪筐体41が前記転輪装置42に近接する側に第四リード線ホール44が貫いて設置され、前記第二リード線ホール37を抜け出す前記リード線38が前記第三リード線ホール43に入り込み、第二転輪45に巻きついて且つ前記第四リード線ホール44に入り込み、前記転輪装置42に巻きついて且つ前記転輪装置42から離れる前記支柱40の上端面に固定接続され、前記放射ブロック39の前後端の右側に近接する位置に外向きの第二溝46が対称設置され、前記第二溝46の中に回転軸を通じてばねブロック47が係合接続され、前記ばねブロック47の外端面にもう一端が前記支柱40の下端に固定接続されるばね48が固定接続され、前記支柱40の右端に放射線を放射できる検査線放射ブロック49が固定接続される。
【００１６】
前記当て板装置が前記第一回転軸14に固定接続される第一駆動斜歯歯車50を含み、前記第一伝動筐体12の右側内壁に左向きの第三溝51が設置され、前記第三溝51の中に左端が第一伝動筐体12に入り込み且つ前記第一駆動斜歯歯車50に噛み合い係合接続される第一被駆動斜歯歯車52が設置され、前記第一被駆動斜歯歯車52の軸に第三回転軸53が固定接続され、前記第三回転軸53の上下端が軸受けを通じて前記第三溝51の上下側内壁に回り係合接続され、前記作業筐体11の右側の右側内壁に左向きの第四溝54が設置され、前記第三回転軸53の下端が前記第四溝54に入り込み且つ軸受けを通じて前記第四溝54の下側内壁に回り係合接続され、前記第四溝54の前記第三回転軸53に前記第四溝54に上下滑動できる昇降ブロック55がねじで係合接続され、前記昇降ブロック55の左端に当て板ブロック56が固定接続される。
【００１７】
前記作業筐体11の上側内壁且つ前記当て板ブロック56の左側に誘導装置57が固定接続され、前記誘導装置57は従事者が着席したかどうかを誘導して検査することができる。
【００１８】
前記作業筐体11の下側内壁に緩衝ブロック58が固定接続され、前記緩衝ブロック58が作業ブロック23の下げによる衝撃を軽減できる。
【００１９】
前記第三伝動筐体20の上側内壁の中に情報処理筐体59が設置され、前記情報処理筐体59が情報検査して外部空間に発信できる。
【００２０】
初期状態で、当て板ブロック56が最大限で作業筐体11の最高位に置かれ、移動ブロック21がお互いに離れ且つ最も遠い位置に置かれ、作業ブロック23が最大限で作業筐体11の最高位に置かれ、固定ブロック27が右端に置かれ、作業棒33が最大限で作業ホール32に引っ込め、支柱40の回転角度が最も小さくて且つ検査線放射ブロック49がお互いに近接して置かれる。
【００２１】
本装置は医療検査を行う時、被検査従事者が作業筐体11に入って立ち、誘導装置57が従事者が第一電機13を起動することを感応して第一回転軸14を動かして回し、それによって、第一駆動斜歯歯車50が第一被駆動斜歯歯車52を動かして回し、昇降ブロック55が下げられ、当て板ブロック56を動かして従事者が検査しようとする位置に合わせると同時に、第一駆動歯車15が回して第一被駆動歯車17を動かして回し、第二回転軸18をまわらせて移動ブロック21をお互いに近づくこと動かして、それによって、コネクティングロッド22を通じて、作業ブロック23を動かして作業筐体11に下げて当て板ブロック56に位置合わせてから、駆動軸26を起動して回転台25を動かして回し、固定ブロック27を駆動軸26に巻きつかれ且つスライドホール29に滑り、押し棒28を動かして作業棒33を作業ホール32に右に移動させ、放射ブロック39を従事者に近づかさせると同時に、作業ホール32が右に移動してリード線38を動かして引いて、それによって、支柱40を反転させ、検査線放射ブロック49を従事者に向かって放射検査を行い、完成した時、駆動軸26が回して固定ブロック27を動かして元の位置に戻させ、それによって、作業棒33が元の位置に戻して、ばね48を跳ね返させ、支柱40を元の位置に戻させ、第一電機13を起動し、装置が初期状態に戻してから、情報処理筐体59で情報を発信して、次の従事者の検査を待つ。
【００２２】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。